(57)【要約】【課題】引き出された状態のスタッカの傾斜姿勢を保持する保持機構部の小型化を図り、もって排出用スタッカ装置全体としての薄型化と小型化を実現できる排出用スタッカ装置を提供すること。【解決手段】被記録材をスタックする引出し可能なスタッカと、該スタッカを引出し可能に収納する収納部材と、該収納部材から引き出された状態の前記スタッカを、該スタッカの先端部を持ち上げた傾斜姿勢で保持する保持機構部とを備え、前記保持機構部は、スタッカの後端部に設けられた係止部と、前記スタッカの後端部の上方への回動を規制する押さえ部と、前記スタッカの傾斜姿勢を保持する支持部とを備え、前記押さえ部と支持部は、いずれも前記係止部に上側から当接するように配置されている。【選択図】図３
2008303000.tif 000002
【特許請求の範囲】
【請求項１】
被記録材をスタックする引出し可能なスタッカと、
該スタッカを引出し可能に収納する収納部材と、
該収納部材から引き出された状態の前記スタッカを、該スタッカの先端部を持ち上げた傾斜姿勢で保持する保持機構部と、を備え、
前記保持機構部は、
前記スタッカの後端部に設けられた係止部と、
前記スタッカの後端部の上方への回動を規制する押さえ部と、
前記スタッカの傾斜姿勢を保持する支持部と、を備え、
前記押さえ部と支持部は、いずれも前記係止部に上側から当接するように配置されていることを特徴とする排出用スタッカ装置。
【請求項２】
請求項１に記載された排出用スタッカ装置において、
前記収納部材は、前記スタッカの引出し方向への移動と押込み方向への移動を案内するガイドレールを備え、
前記ガイドレールの上面側の先端部は、前記スタッカの被当接部に下側から当接して該スタッカを前記傾斜姿勢にする傾斜化ガイド部を備え、
前記押さえ部と支持部は、前記ガイドレールの下面側に配置されていることを特徴とする排出用スタッカ装置。
【請求項３】
請求項２に記載された排出用スタッカ装置において、
前記スタッカの前記係止部と前記被当接部とは前記ガイドレールを貫挿可能に互いに離間しており、
前記係止部は前記ガイドレールの下面側に当接し、前記被当接部は前記ガイドレールの上面側に当接することを特徴とする排出用スタッカ装置。
【請求項４】
請求項３に記載の排出用スタッカ装置において、
前記押さえ部と支持部は、一体化された状態の係止溝であり、
前記スタッカ側の前記係止部は、前記係止溝に係脱する係止爪であることを特徴とする排出用スタッカ装置。
【請求項５】
請求項３又は４に記載の排出用スタッカ装置において、
前記ガイドレールの先端部は、スタッカの後端部が下方に移動するように案内する上案内傾斜面と下案内傾斜面とを備え、
前記上案内傾斜面が前記傾斜化ガイド部を成し、
前記下案内傾斜面の先端部には前記押さえ部と支持部とが設けられていることを特徴とする排出用スタッカ装置。
【請求項６】
請求項１から５のいずれか１項に記載された排出用スタッカ装置において、
前記排出用スタッカ装置は、前記収納部材もベース収納部材に対して引き出し可能で、多段に延長可能に構成されていることを特徴とする排出用スタッカ装置。
【請求項７】
記録装置本体と、排出用スタッカ装置とを備えた記録装置であって、
前記排出用スタッカ装置は請求項１〜６のいずれか１項に記載の排出用スタッカ装置であることを特徴とする記録装置。
【発明の詳細な説明】
【技術分野】
【０００１】
本発明は、被記録材をスタックするスタッカと、該スタッカを引出し可能に収納する収納部材と、該収納部材から引き出された状態の前記スタッカを、該スタッカの先端部を持ち上げた傾斜姿勢で保持する保持機構部とを備えた排出用スタッカ装置及び核排出用スタッカ装置を備えた記録装置に関する。
【背景技術】
【０００２】
以下、記録装置の一例としてインクジェットプリンタを例に採って説明する。インクジェットプリンタは、プリンタ本体と排出用スタッカ装置とを備えている。排出用スタッカ装置は、被記録材をスタックするスタッカと、該スタッカを引出し可能に収納する収納部材と、該収納部材から引き出された状態の前記スタッカを、該スタッカの先端部を持ち上げた傾斜姿勢で保持する保持機構部とを備えている（例えば特許文献１）。
【０００３】
前記保持機構部は、スタッカを前記傾斜姿勢に保持するものであるが、この傾斜姿勢によって、記録が実行されてプリンタ本体から勢いよく排出されてくる被記録材が、その勢いの余りスタッカから落下するのを阻止する。
【０００４】
特許文献１の装置において、保持機構部は、完全に引き出された状態のスタッカの前端側を上方に持ち上げて傾斜姿勢にするために、当該スタッカの後端部の下面に当接するガイドリブと、該スタッカの後端部の上面に当接して該後端部が前記ガイドリブを支点にして上方に回動する動きを上から押さえ込むための押さえ部と、前記ガイドリブ及び押さえ部と共に当該スタッカの前記傾斜姿勢を保持するために当該スタッカ後端部の下面に当接する支持部とで構成されていた。
【特許文献１】特開２００５−１１２５５６号公報
【発明の開示】
【発明が解決しようとする課題】
【０００５】
しかし、上記従来の装置では、保持機構部は、引き出された状態のスタッカの傾斜姿勢を保持するために、前記押さえ部と前記支持部が当該スタッカの後端部に対して一方が上側から、他方が下側から当接する構造であった。そのため、姿勢保持対象であるスタッカの上面側と下面側の両方に該保持機構部の構成要素である前記押さえ部と前記支持部とがそれぞれ配設されることになり、その配設（スタッカの上面側と下面側の両方に配設）のための収容スペースが必要になって排出用スタッカ装置全体の薄型化ないし小型化を図る上で障害となる問題があった。
【０００６】
本発明は、上記問題点の存在を踏まえてなされたものであって、引き出された状態のスタッカの傾斜姿勢を保持する保持機構部の小型化を図り、もって排出用スタッカ装置全体としての薄型化と小型化を実現できる排出用スタッカ装置及び該排出用スタッカ装置を備えた記録装置を提供することを課題とするものである。
【課題を解決するための手段】
【０００７】
上記課題を解決するために本発明の第１の態様に係る排出用スタッカ装置は、被記録材をスタックする引出し可能なスタッカと、該スタッカを引出し可能に収納する収納部材と、該収納部材から引き出された状態の前記スタッカを、該スタッカの先端部を持ち上げた傾斜姿勢で保持する保持機構部とを備え、前記保持機構部は、スタッカの後端部に設けられた係止部と、前記スタッカの後端部の上方への回動を規制する押さえ部と、前記スタッカの傾斜姿勢を保持する支持部とを備え、前記押さえ部と支持部は、いずれも前記係止部に上側から当接するように配置されていることを特徴とするものである。
【０００８】
本態様によれば、保持機構部は、スタッカの後端部に設けられた係止部と、前記スタッカの後端部の上方への回動を規制する押さえ部と、前記スタッカの傾斜姿勢を保持する支持部とを備え、前記押さえ部と支持部は、いずれも前記係止部に上側から当接するように配置されている。すなわち、前記押さえ部と前記支持部はいずれもスタッカに対して同じ側に位置するから、スタッカの傾斜姿勢を小さな保持スペースで確実に保持することができる。従って、排出用スタッカ装置全体としての薄型化と小型化が容易に実現できる。
【０００９】
本発明の第２の態様に係る排出用スタッカ装置は、前記第１の態様に係る排出用スタッカ装置において、前記収納部材は、前記スタッカの引出し方向への移動と押込み方向への移動を案内するガイドレールを備え、前記ガイドレールの上面側の先端部は、前記スタッカの被当接部に下側から当接して該スタッカを前記傾斜姿勢にする傾斜化ガイド部を備え、前記押さえ部と支持部は、前記ガイドレールの下面側に配置されていることを特徴とするものである。
【００１０】
本態様によれば、当該収納部材は、前記スタッカの引出し及び押込みの移動を案内するガイドレールを備え、該ガイドレールの上面側の先端部は前記スタッカの被当接部に下側から当接して該スタッカを前記傾斜姿勢にする傾斜化ガイド部を備えているので、スタッカをガイドレールに沿って引き出すだけで当該スタッカは傾斜化ガイド部によって自動的に傾斜姿勢に換わる。そして、前記押さえ部と支持部は、前記ガイドレールの下面側に配置されているので、構造簡単にして排出用スタッカ装置全体としての薄型化と小型化が容易に実現できる。
【００１１】
本発明の第３の態様に係る排出用スタッカ装置は、前記第２の態様に係る排出用スタッカ装置において、前記スタッカの前記係止部と前記被当接部とは前記ガイドレールを貫挿可能に互いに離間しており、前記係止部は前記ガイドレールの下面側に当接し、前記被当接部は前記ガイドレールの上面側に当接することを特徴とするものである。
【００１２】
本態様によれば、スタッカの前記係止部と前記被当接部とは前記ガイドレールを貫挿可能に互いに離間しており、前記係止部は前記ガイドレールの下面側に当接し、前記被当接部は前記ガイドレールの上面側に当接するので、排出用スタッカ装置全体としての一層の薄型化と小型化を簡単な構造で実現できる。
【００１３】
本発明の第４の態様に係る排出用スタッカ装置は、前記第３の態様に係る排出用スタッカ装置において、前記押さえ部と支持部は、一体化された状態の係止溝であり、前記スタッカ側の前記係止部は、前記係止溝に係脱する係止爪であることを特徴とするものである。
【００１４】
本態様によれば、前記押さえ部と支持部は一体化された状態の係止溝であり、前記スタッカ側の前記係止部は前記係止溝に係脱する係止爪であるので、スタッカの一部に当接するだけの保持構造に比べて、係止爪と係止溝が確実に係止されるからスタッカの傾斜姿勢での保持状態が一層確実になり、従来の保持構造に比べて構造がコンパクトになる。
【００１５】
本発明の第５の態様に係る排出用スタッカ装置は、前記第３の態様又は第４の態様に係る排出用スタッカ装置において、前記ガイドレールの先端部は、スタッカの後端部が下方に移動するように案内する上案内傾斜面と下案内傾斜面とを備え、前記上案内傾斜面が前記傾斜化ガイド部を成し、前記下案内傾斜面の先端部には前記押さえ部と支持部とが設けられていることを特徴とするものである。
本態様によれば、前記ガイドレールの先端部は、スタッカの後端部が下方に移動するように案内する上案内傾斜面と下案内傾斜面とを備え、前記上案内傾斜面が前記傾斜化ガイド部を成し、前記下案内傾斜面の先端部には前記押さえ部と支持部とが設けられているので、当該上案内傾斜面と下案内傾斜面とによって、引き出されたスタッカは円滑に且つ自動的に傾斜姿勢に換わると共に、自動的に傾斜姿勢の保持が実行される。
【００１６】
本発明の第６の態様に係る排出用スタッカ装置は、前記第１の態様から第５の態様のいずれか一つの排出用スタッカ装置において、当該排出用スタッカ装置は、前記収納部材もベース収納部材に対して引き出し可能で、多段に延長可能に構成されていることを特徴とするものである。
【００１７】
多段に延長可能なスタッカ装置では、多段構造故に厚くなり、大型化する傾向が強いので、本発明を適用することの効果は特に大であり、多段延長スタッカ装置の薄型化及び小型化を実現することができる。
【００１８】
本発明の第６の態様に係る記録装置は、記録装置本体と、排出用スタッカ装置とを備え、前記排出用スタッカ装置は前記第１の態様から第６の態様のいずれか一つの排出用スタッカ装置であることを特徴とするものである。本態様によれば、記録装置としての薄型化と小型化に寄与し得る。
【発明を実施するための最良の形態】
【００１９】
以下、本願発明に係る排出用スタッカ装置及び該排出用スタッカ装置を備えた記録装置について説明する。最初に本願発明の記録装置を実施するための最良の形態としてインクジェットプリンタ１００を取り上げて、その全体構成の概略を図面に基づいて説明する。
【００２０】
図１は、記録実行時のインクジェットプリンタの外観を示す斜視図、図２は記録実行時のインクジェットプリンタの内部構造の概略を示す側断面図である。尚、ここで説明するインクジェットプリンタ１００は、例えばＡ４サイズ以下の被記録材Ｐ（以下単に用紙Ｐともいう）を対象にした比較的コンパクトなタイプのインクジェットプリンタである。また、記録装置本体の一例であるプリンタ本体３の前面パネル６の中央部には用紙Ｐの排出口となる前面開口部７が設けられており、本実施例では、該前面開口部７を閉塞する図示しない開閉蓋と、該開閉蓋とは別体の回動式の排出用スタッカ装置１が前面開口部７の下部側面に対して設けられている。この排出用スタッカ装置１は、回動ベーススタッカ８と、該回動ベーススタッカ８に引出し可能に設けられている中間スタッカ３２と、該中間スタッカ３２に引き出し可能に設けられている先端スタッカ３１とで構成されている。そして、該排出用スタッカ装置１の回動ベーススタッカ８が回動支点９を中心にして上下方向に回動自在に設けられている。
【００２１】
また、プリンタ本体３の上面の後部寄りには用紙Ｐを自動給送装置２に供給するための上面開口部４が設けられており、該上面開口部４の下方のプリンタ本体３の内部に用紙Ｐを連続して自動給送するための給送用ローラ１４やホッパ１６を備える自動給送装置２における駆動系の構成部材が設けられている。一方、上面開口部４の上方には給送用トレイ５やエッジガイド１５を備える自動給送装置２における案内系の構成部材が斜め後方上部に向けて延びるように設けられている。給送用ローラ１４の用紙搬送方向の下流位置には搬送用駆動ローラと搬送用従動ローラとの一対のニップローラによって構成されている搬送用ローラ１９が設けられている。また、搬送用ローラ１９の用紙搬送方向の下流位置には記録実行手段である記録ヘッド１３、記録ヘッド１３の用紙幅方向への往復移動手段であるキャリッジ１０、用紙Ｐの下面を支え記録ヘッド１３との間のギャップＰＧを規定するプラテン２８とが設けられている。
【００２２】
また、前記記録ヘッド１３やプラテン２８の用紙搬送方向の下流位置には記録実行後の用紙Ｐを前記前面開口部７に導いて、排出用スタッカ装置１の載置面３０上に排出する排出用駆動ローラと排出用従動ローラとによって構成される排出用ローラ２０が設けられている。また、前記排出用スタッカ装置１は排出されてくる用紙Ｐの勢いを制止させて、排出用スタッカ装置１の載置面３０上に確実に用紙Ｐをスタックさせるために幾分先端側が高くなるように取り付けられている。
【００２３】
［実施例］
次に、このようなインクジェットプリンタ１００の一部として設けられる上記排出用スタッカ装置１と、該排出用スタッカ装置１の回動ベーススタッカ８に引出し可能に設けられた中間スタッカ３２と先端スタッカ３１との間に適用された本発明の主要部を成す保持機構部５７について図面に基づいて具体的に説明する。すなわち、本実施例では中間スタッカ３２が先端スタッカ３１を引き出し可能に収納する収納部材となっているが、当該排出用スタッカ装置１は、収納部材である中間スタッカ３２もベース収納部材である回動ベーススタッカ８に対して引き出し可能であり、多段に延長可能なスタッカ構成になっている。
【００２４】
図３は、先端スタッカ及び中間スタッカをいずれも完全に引き出した状態における排出用スタッカ装置を示す側断面図、図４は図３中のＣ部を拡大して示す側断面図である。図５は先端スタッカを完全に押し込んだ収納位置から徐々に先端スタッカを引き出して先端部が上方に持ち上げられた傾斜姿勢に移行するまでの状態を段階的に示す側断面図である。また、図６は先端スタッカと中間スタッカが回動ベーススタッカ内に収納された状態を示す平面図、図７は同上の底面図である。図８は先端スタッカのみを中間スタッカから引き出した状態を示す平面図、図９は同上の底面図である。また図１０は先端スタッカと中間スタッカを回動ベーススタッカから引き出した状態を示す平面図、図１１は同上の底面図である。
【００２５】
回動ベーススタッカ８は、射出成形等によって成形される矩形平板状のプラスチック成形部品であるベーススタッカ本体１１を備えている。回動ベーススタッカ８を拡開状態にした時のベーススタッカ本体１１の上面が用紙Ｐをスタックする上述した載置面３０になっている。また、ベーススタッカ本体１１の下面の中央部には中間スタッカ３２を収納するための収納スペース３３が形成されている。ベーススタッカ本体１１の左右外側面の回動基端側にはプリンタ本体３の前面開口部７の下部側面に形成されている図示しない穴部と嵌合する２つ軸部が外方に突出するように設けられており、これらの軸部が排出用スタッカ８を回動させる際の回動支点９になっている。
【００２６】
中間スタッカ３２は、上記回動ベーススタッカ８のベーススタッカ本体１１の下面に形成されている収納スペース３３内に収納される矩形平板上のプラスチック成形部品である中間スタッカ本体１２を備えている。中間スタッカ本体１２の上面は用紙Ｐをスタックする際の載置面３４になっている。そして、中間スタッカ本体１２の下面の中央には先端スタッカ３１を収納するための収納スペース３５が形成されている。また、中間スタッカ本体１２の左右の外側面には引出し方向Ａないし押込み方向Ｂに延びるレールリブ３６（図３、図１０、図１１）が形成されており、該レールリブ３６の押込み方向Ｂ側の端部には先端に係合フック３７を備える弾性延長リブ３８が一体に形成されている（図７、図９、図１１）。また、上記レールリブ３６の引出し方向Ａ側の端部には中間スタッカ３２の押込み方向Ｂ側の移動端を規制する規制凸部３９が設けられている（図９、図１１）。
【００２７】
一方、図９及び図１１に示すように、回動ベーススタッカ８の下面には収納スペース３３の左右に中間スタッカ３２のレールリブ３６と係合して中間スタッカ３２の摺動を案内するガイドレール４０が設けられている。また、該ガイドレール４０の押込み方向Ｂ側の端部近傍には、中間スタッカ３２が収納位置にある時、前記係合フック３７と係合する係合案内突起４１が設けられている。尚、係合案内突起４１の押込み方向Ｂ側の面は、中間スタッカ３２を引出し方向Ａに移動させる際に上記弾性延長リブ３８が撓んで係合フック３７が内側に移動するように案内する案内傾斜面４２になっている。また、ガイドレール４０の引出し方向Ａ側の端部には上記中間スタッカ３２側に設けられる規制凸部３９に当接する度当て面４３が形成されている。
【００２８】
図７及び図１１に示すように、先端スタッカ３１は、前記中間スタッカ３２の下面に形成されている収納スペース３５内に収納される矩形平板状のプラスチック成形部品である先端スタッカ本体５４を備えている。先端スタッカ本体５４の上面は、用紙Ｐをスタックする際の載置面４４になっており、先端スタッカ本体５４の下面前方には、幅方向に延び、中央部が内側に凹陥した指掛け部４５が形成されている。また、先端スタッカ本体５４の左右の外側面には引出し方向Ａないし押込み方向Ｂに延びるレールリブ４６が形成されている。該レールリブ４６の押込み方向Ｂ側の端部には先端スタッカ３１を完全に引き出した状態における先端スタッカ３１の傾斜角度を規定するための下方に突出した保持突起４７と、更に度当て部４８とが設けられている。即ち、射出成形の際に当該保持突起４７の高さを適宜変えることにより、その傾斜角度を適宜変更調整することができるようになっている。
【００２９】
図７及び図９に示すように、先端スタッカ本体５４の押込み方向Ｂ側の端面は、中間スタッカ３２における収納スペース３５の奥部側端面４９に当接する度当て面５０になっており、先端スタッカ本体５４の押込み方向Ｂ側の２つのコーナ部には幅方向外方に向けて突出する係止凸部５１が設けられている。また、該係止凸部５１の先端部には上方に向けて突出する側面視山型の係止爪５２（図３、図４）が設けられており、中間スタッカ３２における奥部側端面４９近傍の収納スペース３５のコーナ部付近には上記係止爪５２に係止され、先端スタッカ３１を完全に押し込んだ収納位置を保持するための下方に突出した側面視三角形状の係止突起５３（図３、図５）が設けられている。
【００３０】
図３、図４に示すように、本発明の排出用スタッカ装置１は、記録が実行されて排出されてきた用紙Ｐをスタックする引出し可能な先端スタッカ３１と、該先端スタッカ３１を引出し可能に収納する収納部材である中間スタッカ３２と、該中間スタッカ３２から引き出された状態の前記先端スタッカ３１を、該先端スタッカ３１の先端部を持ち上げた傾斜姿勢で保持する保持機構部５７とを備えている。そして、該保持機構部５７は、先端スタッカ３１の後端部に設けられた係止凸部５１と、前記先端スタッカ３１の後端部の上方への回動を規制する押さえ部５８と、前記先端スタッカ３１の傾斜姿勢を保持する支持部５９とを備え、前記押さえ部５８と支持部５９は、いずれも前記係止凸部５１に上側から当接するように配置されている。
【００３１】
前記収納部材である中間スタッカ３２は、前記先端スタッカ３１の引出し方向への移動と押込み方向への移動を案内するガイドレール５５を備えている。ガイドレール５５の上面側の先端部は、先端スタッカ３１の被当接部を成すレールリブ４６に下側から当接して該先端スタッカ３１を前記傾斜姿勢にする傾斜化ガイド部６３になっている。前記押さえ部５８と支持部５９は、ガイドレール５５の下面側に配置されている。そして、先端スタッカ３１の前記係止凸部５１と前記被当接部（４６）とは、前記ガイドレール５５を貫挿可能に互いに離間しており、前記係止凸部５１はガイドレール５５の下面側に当接し、前記被当接部（４６）はガイドレール５５の上面側に当接するようになっている。
【００３２】
更に、本実施例では、前記押さえ部５８と支持部５９は、一体化された状態の係止溝６０になっており、前記先端スタッカ３１側の前記係止凸部５１は、係止溝６０に係脱する係止爪５２になっている。前記係止溝６０は係止爪５２の形状に対応した鉤溝形状を有しており、押込み方向Ｂ側に位置する凸部が押さえ部５８として機能し、上方に突出した角隅部が支持部５９として機能している。そして、前記ガイドレール５５の先端部は、先端スタッカ３１の後端部が下方に移動するように案内する上案内傾斜面６１と下案内傾斜面６２とを備え、前記上案内傾斜面６１が前記傾斜化ガイド部６３を成し、前記下案内傾斜面６２の先端部には前記押さえ部５８と支持部５９、すなわち係止溝６０が設けられている。
【００３３】
即ち、前記中間スタッカ３２の収納スペース３５における左右の側壁部に対して設けられる前記ガイドレール５５と、該ガイドレール５５に係合する先端スタッカ本体５４側に設けられる被当接部（レールリブ４６）とによって先端スタッカ３１のスライドガイド機構５６が構成されている。ガイドレール５５は先端スタッカ本体５４の下面からレールリブ４６の肉厚分下方に位置しており、収納スペース３５の前面側から押込み方向Ｂの中間付近にかけて先端スタッカ本体５４の下面と平行に設けられている。
【００３４】
ガイドレール５５の前面側の先端部には、先端スタッカ３１の後端部にある係止凸部５１が、図３、図４に示すように、下方に移動するように案内するなだらかな傾斜の上案内傾斜面６１と下案内傾斜面６２とが設けられている。そして、上案内傾斜面６１の前面側の先端部には該上案内傾斜面６１と連接するように傾斜化ガイド部６３が設けられている。尚、該傾斜化ガイド部６３の上面には先端スタッカ３１が完全に引き出された位置にきた時に、先端スタッカ３１が傾斜姿勢になって先端スタッカ３１の被当接部（レールリブ４６）の後端部下面が当接し、上記係止溝６０の押さえ部５８及び支持部５９と共に先端スタッカ３１の傾斜姿勢を保持する機能を担っている。
【００３５】
［作動態様］
次に、このようにして構成される排出用スタッカ装置１の作動態様を図５（ａ）〜（ｄ）及び図３、図４と、図６〜図１１に基づいて説明する。先端スタッカ３１が収納位置に位置している時は、図６、図７に示すように、先端スタッカ３１は中間スタッカ３２の収納スペース３５内に完全に収納され、中間スタッカ３２は回動ベーススタッカ８の収納スペース３３内に完全に収納されている。
【００３６】
従って、この状態では回動ベーススタッカ８の載置面３０のみが上面に現れている。尚、この状態では図５（ａ）及び図７に示すように、先端スタッカ３１の係止爪５２が係止突起５３と奥部側端面４９との間に位置し、先端スタッカ３１の度当て面５０が奥部側端面４９に当接することで先端スタッカ３１の収納位置が保持されている。同様に図７に示すように、中間スタッカ３２側の係合フック３７が回動ベーススタッカ８側の係合案内突起４１と係合し、中間スタッカ３２側の規制凸部３９が度当て面４３に当接することによって中間スタッカ３２の収納位置も保持されている。
【００３７】
次に、図５（ｂ）に示すように、先端スタッカ３１の指掛け部４５に指を掛けて該先端スタッカ３１を手前に引き出すと、先端スタッカ３１の係止爪５２は係止突起５３を乗り越えて係止突起５３の引出し方向Ａ側に位置し、先端スタッカ３１のレールリブ４６の下面が中間スタッカ３２側のガイドレール５５の上面を摺接するように案内されながら水平に引き出される。そして、レールリブ４６が上案内傾斜面６１に到達し、係止爪５２が下案内傾斜面６２に到達すると、図５（ｃ）、図５（ｄ）に示すように、先端スタッカ３１の後端部が徐々に下方に移動するようになり、最終的に図３、図４及び図８、図９に示すスタック位置に至り、中間スタッカ３２に対して更に先端部が上方に持ち上げられた傾斜姿勢で先端スタッカ３１は保持される。
【００３８】
尚、この状態では図９に示すように、中間スタッカ３２における規制凸部３９が先端スタッカ３１側の保持突起４７と度当て部４８とに挟まれることによって先端スタッカ３１の引出し方向Ａ及び押込み方向Ｂの動きが規制されている。また、先端スタッカ３１側のレールリブ４６の後端部が中間スタッカ３２側の傾斜化ガイド部６３の上面に当接し、先端スタッカ３１側の係止爪５２が中間スタッカ３２側の係止溝６０に係止されることで、先端スタッカ３１の傾斜姿勢は、図４に示すように中間スタッカ３２側の傾斜化ガイド部６３と、押さえ部５８と、支持部５９との３点で保持されている。そして、この状態では図８に示すように、排出用スタッカ８の載置面３０と延長スタッカ３１の載置面４４とが上面に現れる。
【００３９】
次に、図８及び図９の状態から、指掛け部４５に指をかけて延長スタッカ３１を引出し方向Ａに更に引き出すと、中間スタッカ３２における弾性延長リブ３８が内側に撓んで、弾性延長リブ３８の先端の係合フック３７が回動ベーススタッカ８側の係合案内突起４１の案内傾斜面４２によって案内され、係合案内突起４１を乗り越えて係合案内突起４１の引出し方向Ａ側に位置するようになる。また、この状態でそのまま指掛け部４５に指を掛けて先端スタッカ３１を引き出すと、中間スタッカ３２側のレールリブ３６が回動ベーススタッカ８側のガイドレール４０によって案内されて先端スタッカ３１と中間スタッカ３２は一体になって水平に引き出される。
【００４０】
そして、中間スタッカ３２がスタック位置に到達すると、回動ベーススタッカ８のガイドレール４０の一部に形成されている一例として角窓状をした係合穴６４に中間スタッカ３２側の係合フック３７が係合して中間スタッカ３２のスタック位置が保持される。また、この状態では図１０に示すように、回動ベーススタッカ８の載置面３０と、中間スタッカ３２の載置面３４と、延長スタッカ３１の載置面４４のすべてが上面に現れる。
【００４１】
一方、スタック位置に移動した先端スタッカ３１と中間スタッカ３２を図６、図７に示す収納位置に移動させる場合には、先端スタッカ３１の指掛け部４５の前面に指を当てるか、指掛け部４５を指で摘んで押込み方向Ｂ側に押し込むだけで、上述したのと逆の作動態様が実行されて先端スタッカ３１と中間スタッカ３２が収納位置に移動し、回動ベーススタッカ８の収納スペース３３内及び中間スタッカ３２の収納スペース３５内に中間スタッカ３２及び延長スタッカ３１が完全に収納された収納状態が保持される。
【００４２】
以上説明したように、本実施例によれば、前記押さえ部５８と前記支持部５９はいずれも先端スタッカ３１に対して同じ側に位置するから、先端スタッカ３１の傾斜姿勢を小さな保持スペースで確実に保持することができ、排出用スタッカ装置全体としての薄型化と小型化が容易に実現できる。
【００４３】
更に、当該収納部材である中間スタッカ３２は、前記先端スタッカ３１の引出し及び押込みの移動を案内するガイドレール５５を備え、該ガイドレール５５の上面側の先端部は前記先端スタッカ３１の被当接部（レールリブ４６）に下側から当接して先端スタッカ３１を前記傾斜姿勢にする傾斜化ガイド部６３を備えているので、先端スタッカ３１をガイドレール５５に沿って引き出すだけで当該先端スタッカ３１は傾斜化ガイド部６３によって自動的に傾斜姿勢に換わる。
【００４４】
更に、先端スタッカ３１の前記係止凸部５１と前記被当接部（レールリブ４６）とは前記ガイドレール５５を貫挿可能に互いに離間しており、前記係止凸部５１は前記ガイドレール５５の下面側に当接し、前記被当接部（レールリブ４６）は前記ガイドレール５５の上面側に当接するので、排出用スタッカ装置全体としての一層の薄型化と小型化を簡単な構造で実現できる。
【００４５】
［他の実施例］
本願発明に係る排出用スタッカ装置１及び該排出用スタッカ装置１を備えた記録装置１００は、以上述べたような構成を基本とするものであるが、本願発明の要旨を逸脱しない範囲内の部分的構成の変更や省略等を行うことも勿論可能である。例えば、本発明の排出用スタッカ装置１は、先端スタッカ３１と中間スタッカ３２との間で適用する場合に限らず、中間スタッカ３２と回動ベーススタッカ８との間で適用したり、中間スタッカ３２が存在しない場合には先端スタッカ３１と回動ベーススタッカ８との間で本発明の排出用スタッカ装置１を適用することが可能である。
【００４６】
また、記録装置本体３に対して摺動自在に設けられる排出用スタッカ装置であれば、引き出し可能な単一のスタッカと記録装置本体３との間に適用することも可能である。先端スタッカ３１を有する回動ベーススタッカ８であれば、記録装置本体３に対して回動自在に設けられるものに限らず、記録装置本体３に対して摺動自在あるいは着脱自在に設けられる構造のものに対しても適用可能である。
【図面の簡単な説明】
【００４７】
【図１】記録実行時のインクジェットプリンタの外観を示す斜視図。
【図２】インクジェットプリンタの内部構造の概略を示す側断面図。
【図３】ストック位置での排出用スタッカの案内係止装置を示す側断面図。
【図４】図３中のＣ部を拡大して示す側断面図。
【図５】スタッカを徐々に引き出して行く様子を示す側断面図。
【図６】延長スタッカと中間スタッカが排出用スタッカ内に収納された状態を示す平面図。
【図７】延長スタッカと中間スタッカが排出用スタッカ内に収納された状態を示す底面図。
【図８】延長スタッカを排出用スタッカから引き出した状態を示す平面図。
【図９】延長スタッカを排出用スタッカから引き出した状態を示す底面図。
【図１０】延長スタッカと中間スタッカを排出用スタッカから引き出した状態を示す平面図。
【図１１】延長スタッカと中間スタッカを排出用スタッカから引き出した状態を示す底面図。
【符号の説明】
【００４８】
１  排出用スタッカ装置、２  自動給送装置、３  プリンタ本体（記録装置本体）、４  上面開口部、５  給送用トレイ、６  前面パネル、７  前面開口部、８  回動ベーススタッカ、９  回動支点、１０  キャリッジ、１１  ベーススタッカ本体、１２  中間スタッカ本体、１３  記録ヘッド、１４  給送用ローラ、１５  エッジガイド、１６  ホッパ、１９  搬送用ローラ、２０  排出用ローラ、２８  プラテン、３０  載置面、３１  先端スタッカ、３２  中間スタッカ、３３  収納スペース、３４  載置面、３５  収納スペース、３６  レールリブ、３７  係合フック、３８  弾性延長リブ、３９  規制凸部、４０  ガイドレール、４１  係合案内突起、４２  案内傾斜面、４３  度当て面、４４  載置面、４５  指掛け部、４６  被当接部（レールリブ９、４７  保持突起、４８  度当て部、４９  奥部側端面、５０  度当て面、５１  係止凸部、５２  係止爪、５３  係止突起、  ５４  先端スタッカ本体、５５  ガイドレール、５６  スライドガイド機構、５７  保持機構部、５８  押さえ部、５９  支持部、  ６０  係止溝、６１  上案内傾斜面、６２  下案内傾斜面、６３  傾斜化ガイド部、６４  係合穴、１００  インクジェットプリンタ（記録装置）、Ｐ  用紙（被記録材）、ＰＧ  ギャップ、Ａ  引出し方向、Ｂ  押込み方向
【図１】
2008303000.tif 000003
【図２】
2008303000.tif 000004
【図３】
2008303000.tif 000005
【図４】
2008303000.tif 000006
【図５】
2008303000.tif 000007
【図６】
2008303000.tif 000008
【図７】
2008303000.tif 000009
【図８】
2008303000.tif 000010
【図９】
2008303000.tif 000011
【図１０】
2008303000.tif 000012
【図１１】
2008303000.tif 000013